(57)【要約】【課題】記憶メディアの残量が少なくなっても、既に記録されている画像を保持しつつ、現在受信している画像を記憶メディアに保存することができると共に、ＭＰＥＧ符号処理を行うことができるテレビ電話装置を提供することを目的とする。【解決手段】受信した画像データを記憶メディア４に記憶する画像記憶手段２３と、記憶メディア４における記憶残量を計数する記憶残量検出手段２４と、記憶残量検出手段２４によって検出された未記憶部分のデータ量があらかじめ定められた設定値を下回っている場合には既に記憶されている画像データのフレーム数を少なくして元画像よりもデータ量を小さくして保存し直す画像再保存手段２５とを有する。【選択図】  図２
2004282436.tif 000002
【特許請求の範囲】
【請求項１】
受信した画像データを記憶メディアに記憶する画像記憶手段と、前記記憶メディアにおける記憶残量を計数する記憶残量検出手段と、前記記憶残量検出手段によって検出された未記憶部分のデータ量があらかじめ定められた設定値を下回っている場合には既に記憶されている画像データのフレーム数を少なくして元画像よりもデータ量を小さくして保存し直す画像再保存手段とを有することを特徴とするテレビ電話装置。
【請求項２】
受信した画像データを記憶メディアに記憶する画像記憶手段と、前記記憶メディアにおける記憶残量を計数する記憶残量検出手段と、前記記憶残量検出手段によって検出された未記憶部分のデータ量があらかじめ定められた設定値を下回っている場合には既に記憶されている画像データの色数を少なくして保存し直す画像再保存手段とを有することを特徴とするテレビ電話装置。
【請求項３】
受信した画像データを記憶メディアに記憶する画像記憶手段と、前記記憶メディアにおける記憶残量を計数する記憶残量検出手段と、前記記憶残量検出手段によって検出された未記憶部分のデータ量があらかじめ定められた設定値を下回っている場合には既に記憶されている画像データの画像サイズを小さくして保存し直す画像再保存手段とを有することを特徴とするテレビ電話装置。
【発明の詳細な説明】
【０００１】
【発明の属する技術分野】
本発明は、画像データの記憶を行うテレビ電話装置に関するものである。
【０００２】
【従来の技術】
従来の画像データ記憶の技術としては、例えば（特許文献１）に記載されているものがある。この特許文献１において、記憶メディアの容量不足により記録途中から録画できなくなる問題を解決する方法は次のような手順となる。
【０００３】
まず、記憶メディアの未記憶部分の残量を検出し、残量が一定値を超える場合には記録モードをノーマル機能記録モードとする。残量が一定値以下の場合には記録モードを低品位記録モードとし、残量が０の場合は上書きモードとする。そして、留守録の録画時は、上記によって設定されたモードに従って動画像データの符号化処理を行い記録メディアに録画するといった処理を行っている。上書きモードとは、既に書込みがされている領域に新たなデータの書込みをするようにしたもので、既に記録されている動画像データの記録領域の中で、１フレームおきに上書き許可領域を設定して記録することにより、既記録画像を完全に破壊するのではなく、コマ落し品質で保存するといったモードである。
【０００４】
【特許文献１】
特開平６−２１７２４９号公報
【０００５】
【発明が解決しようとする課題】
しかしながら、上記従来の画像データの記憶方法では、モーションＪＰＥＧ符号処理のような１フレーム単位で画像データ符号処理を行っているものについては有効な手段であるが、ＭＰＥＧ符号処理のような前後のフレームの差分を利用して符号化する処理には使えないという問題点を有している。すなわち、上記従来の画像データの記憶方法を用いるテレビ電話装置では、ＭＰＥＧ符号処理のような前後のフレームの差分を利用して符号化する処理を行うことができないという問題点を有している。
【０００６】
このテレビ電話装置では、テレビ電話装置に内蔵されている記憶メディアの残量が少なくなっても、既に記録されている画像を保持しつつ、現在受信している画像を記憶メディアに保存すると共に、ＭＰＥＧ符号処理を行えることが要求されている。
【０００７】
本発明は、この要求を満たすため、記憶メディアの残量が少なくなっても、既に記録されている画像を保持しつつ、現在受信している画像を記憶メディアに保存することができると共に、ＭＰＥＧ符号処理を行うことができるテレビ電話装置を提供することを目的とする。
【０００８】
【課題を解決するための手段】
上記課題を解決するために本発明のテレビ電話装置は、受信した画像データを記憶メディアに記憶する画像記憶手段と、記憶メディアにおける記憶残量を計数する記憶残量検出手段と、記憶残量検出手段によって検出された未記憶部分のデータ量があらかじめ定められた設定値を下回っている場合には既に記憶されている画像データのフレーム数を少なくして元画像よりもデータ量を小さくして保存し直す画像再保存手段とを有する構成を備えている。
【０００９】
これにより、記憶メディアの残量が少なくなっても、既に記録されている画像を保持しつつ、現在受信している画像を記憶メディアに保存することができると共に、ＭＰＥＧ符号処理を行うことができるテレビ電話装置が得られる。
【００１０】
【発明の実施の形態】
本発明の請求項１に記載のテレビ電話装置は、受信した画像データを記憶メディアに記憶する画像記憶手段と、記憶メディアにおける記憶残量を計数する記憶残量検出手段と、記憶残量検出手段によって検出された未記憶部分のデータ量があらかじめ定められた設定値を下回っている場合には既に記憶されている画像データのフレーム数を少なくして元画像よりもデータ量を小さくして保存し直す画像再保存手段とを有することとしたものである。
【００１１】
この構成により、記憶メディアの残量を検出し、その残量があらかじめ定められた値以下となったときにのみフレーム数を少なくし画像データ量を小さくして記憶メディアに保存し直すようにしているので、記憶メディア（記憶メディア）の残量が少なくなっても、既に記録されている画像を保持しつつ、現在受信している画像を記憶メディアに保存することができ、また、留守録を行う場合の留守録録画件数（すなわち記録画像データ量）が少ない場合には、記録品質を落とすことなく高品質の画像データで留守録再生することができ、さらに、フレームとしては連続しているのでＭＰＥＧ符号処理を行うことができるという作用を有する。
【００１２】
請求項２に記載のテレビ電話装置は、受信した画像データを記憶メディアに記憶する画像記憶手段と、記憶メディアにおける記憶残量を計数する記憶残量検出手段と、記憶残量検出手段によって検出された未記憶部分のデータ量があらかじめ定められた設定値を下回っている場合には既に記憶されている画像データの色数を少なくして保存し直す画像再保存手段とを有することとしたものである。
【００１３】
この構成により、記憶メディアの残量を検出し、その残量があらかじめ定められた値以下となったときにのみ色数を少なくし画像データ量を小さくして記憶メディアに保存し直すようにしているので、記憶メディアの残量が少なくなっても、既に記録されている画像を保持しつつ、現在受信している画像を記憶メディアに保存することができ、また、留守録を行う場合の留守録録画件数が少ない場合には、記録品質を落とすことなく高品質の画像データで留守録再生することができ、さらに、フレームとしては連続しているのでＭＰＥＧ符号処理を行うことができるという作用を有する。
【００１４】
請求項３に記載のテレビ電話装置は、受信した画像データを記憶メディアに記憶する画像記憶手段と、記憶メディアにおける記憶残量を計数する記憶残量検出手段と、記憶残量検出手段によって検出された未記憶部分のデータ量があらかじめ定められた設定値を下回っている場合には既に記憶されている画像データの画像サイズを小さくして保存し直す画像再保存手段とを有することとしたものである。
【００１５】
この構成により、記憶メディアの残量を検出し、その残量があらかじめ定められた値以下となったときにのみ画像サイズを小さくし画像データ量を小さくして記憶メディアに保存し直すようにしているので、記憶メディアの残量が少なくなっても、既に記録されている画像を保持しつつ、現在受信している画像を記憶メディアに保存することができ、また、留守録を行う場合の留守録録画件数が少ない場合には、記録品質を落とすことなく高品質の画像データで留守録再生することができ、さらに、フレームとしては連続しているのでＭＰＥＧ符号処理を行うことができるという作用を有する。
【００１６】
以下、本発明の実施の形態について、図１、図２を参照して説明する。
【００１７】
（実施の形態１）
図１は本発明の実施の形態１によるテレビ電話装置を示す装置プロック図であり、図２は図１のＣＰＵの機能を示す機能ブロック図である。図２の各機能ブロックは、ＣＰＵがメモリ格納プログラムを実行することにより実現されるブロックである。
【００１８】
図１において、１はテレビ電話装置の制御を行うＣＰＵ（中央処理装置）、２は受信した画像データの表示を行うＬＣＤ、３はＬＣＤ２に表示するイメージデータを保持するＶＲＡＭ（ｖｉｄｅｏ  ＲＡＭ）、４はテレビ電話装置のプログラムや留守録時の画像データが記憶されている記録メディアとしてのフラッシュメモリ、５はプログラム実行時にデータの記憶や読み出しに使用するＲＡＭ、６は利用者が発信・応答・留守録再生等の操作に使用するキー入力装置、７はテレビ電話で通信相手と会話するのに使用するマイク、８は同じく通信相手と会話するのに使用するスピーカ、９は留守録の開始時刻の取得や画像データの記憶領域の残量検出処理の開始タイマ等で使用するリアルタイムクロック、１０は音声データおよび画像データを送受信するデータ伝送装置、１１は画像データ取り込みに使用するカメラ１１である。
【００１９】
また、図２において、２１はリアルタイムクロック９からのタイマ割込み、あるいは、利用者によるキー入力操作等のイベントを取得するイベント取得手段、２２は他テレビ電話装置から本テレビ電話装置への通話要求時にあらかじめ設定されている時間内に利用者がキー入力装置６を使用して応答しなかったことがイベント取得手段２１によって判定された場合に本テレビ電話装置が自動応答して留守録開始を指示する留守録開始指示手段、２３は他テレビ電話装置から送信された音声データおよび画像データをデータ伝送装置１０より受信し、受信したデータをＭＰＥＧ符号化方式のようにフレーム内情報だけでなく前後のフレーム間の情報を利用した符号化を行いフラッシュメモリ４へ記憶する画像記憶手段、２４はあらかじめ設定されている時間間隔でリアルタイムクロック９からのタイマ割込みがあったことをイベント取得手段２１で判定した場合にフラッシュメモリ４の画像データ記録領域内で記録されていない残量を計数する記憶残量検出手段、２５は記憶残量検出手段２４で検出されたフラッシュメモリ４の画像データ記録領域内の未記憶部分のデータ量があらかじめ定められた設定値を下回った場合に既にフラッシュメモリ４に記録されている画像データのフレーム数を少なくして元画像よりもデータ量を小さくして保存し直す画像再保存手段、２６は留守録された画像データの再生が利用者によって指示されたとイベント取得手段２１によって判定された場合にフラッシュメモリ４に記録されている留守録を再生する留守録再生手段である。
【００２０】
このように構成されたテレビ電話装置について、その動作を画像再保存手段２５を中心に説明する。本実施の形態では画像再保存手段２５は３つの動作（第１〜第３の動作）を行う。
【００２１】
まず、第１の動作について説明する。画像再保存手段２５は、まず、フラシュメモリ４に既に記憶されている符号化された画像データを復号処理し、ＲＡＭ５に復号化されたデータを書き込む。次に、画像再保存手段２５は、ＲＡＭ５上の復号化されたデータに対して１フレームおきに画像データを取り出すことにより、画像サイズを小さくする。そして、画像サイズを小さくした画像データについて符号処理を行い、符号化された画像データをフラシュメモリ４へ上書き保存する。
【００２２】
次に、第２の動作について説明する。画像再保存手段２５は、まず、フラシュメモリ４に既に記録されている符号化された画像データを復号処理し、ＲＡＭ５に復号化されたデータを書き込む。次に、画像再保存手段２５は、ＲＡＭ５上の復号化されたデータに対して色数を減らして画像符号処理を行う。そして、色数を減らして再符号化した画像データをフラシュメモリ４へ上書き保存する。
【００２３】
次に、第３の動作について説明する。画像再保存手段２５は、まず、フラシュメモリ４に既に記録されている符号化された画像データを復号処理し、ＲＡＭ５に復号化されたデータを書き込む。次に、画像再保存手段２５は、ＲＡＭ５上の復号化されたデータに対して画像の縦方向、横方向のそれぞれ１行おきにデータを取り出すことにより、画像サイズを小さくする。そして、画像サイズを小さくした画像データについて符号処理を行い、符号化された画像データをフラシュメモリ４へ上書き保存する。
【００２４】
以上のように本実施の形態によれば、受信した画像データを記憶メディア４に記憶する画像記憶手段２３と、記憶メディア４における記憶残量を計数する記憶残量検出手段２４と、記憶残量検出手段２４によって検出された未記憶部分のデータ量があらかじめ定められた設定値を下回っている場合には既に記憶されている画像データのフレーム数を少なくして元画像よりもデータ量を小さくして保存し直す画像再保存手段２５とを有することにより、記憶メディア４の残量を検出し、その残量があらかじめ定められた値以下となったときにのみフレーム数を少なくし画像データ量を小さくして記憶メディア４に保存し直すようにしているので、記憶メディア４の残量が少なくなっても、既に記録されている画像を保持しつつ、現在受信している画像を記憶メディア４に保存することができ、また、留守録を行う場合の留守録録画件数（すなわち記録画像データ量）が少ない場合には、記録品質を落とすことなく高品質の画像データで留守録再生することができ、さらに、フレームとしては連続しているのでＭＰＥＧ符号処理を行うことができる。
【００２５】
また、画像再保存手段２５は、記憶残量検出手段２４によって検出された未記憶部分のデータ量があらかじめ定められた設定値を下回っている場合には既に記憶されている画像データの色数を少なくして保存し直すことにより、記憶メディア４の残量を検出し、その残量があらかじめ定められた値以下となったときにのみ色数を少なくし画像データ量を小さくして記憶メディア４に保存し直すようにしているので、記憶メディア４の残量が少なくなっても、既に記録されている画像を保持しつつ、現在受信している画像を記憶メディア４に保存することができ、また、留守録を行う場合の留守録録画件数が少ない場合には、記録品質を落とすことなく高品質の画像データで留守録再生することができ、さらに、フレームとしては連続しているのでＭＰＥＧ符号処理を行うことができる。
【００２６】
さらに、画像再保存手段２５は、記憶残量検出手段２４によって検出された未記憶部分のデータ量があらかじめ定められた設定値を下回っている場合には既に記憶されている画像データの画像サイズを小さくして保存し直すことにより、記憶メディア４の残量を検出し、その残量があらかじめ定められた値以下となったときにのみ画像サイズを小さくし画像データ量を小さくして記憶メディア４に保存し直すようにしているので、記憶メディア４の残量が少なくなっても、既に記録されている画像を保持しつつ、現在受信している画像を記憶メディア４に保存することができ、また、留守録を行う場合の留守録録画件数が少ない場合には、記録品質を落とすことなく高品質の画像データで留守録再生することができ、さらに、フレームとしては連続しているのでＭＰＥＧ符号処理を行うことができる。
【００２７】
【発明の効果】
以上説明したように本発明の請求項１に記載のテレビ電話装置によれば、受信した画像データを記憶メディアに記憶する画像記憶手段と、記憶メディアにおける記憶残量を計数する記憶残量検出手段と、記憶残量検出手段によって検出された未記憶部分のデータ量があらかじめ定められた設定値を下回っている場合には既に記憶されている画像データのフレーム数を少なくして元画像よりもデータ量を小さくして保存し直す画像再保存手段とを有することにより、記憶メディアの残量を検出し、その残量があらかじめ定められた値以下となったときにのみフレーム数を少なくし画像データ量を小さくして記憶メディアに保存し直すようにしているので、記憶メディアの残量が少なくなっても、既に記録されている画像を保持しつつ、現在受信している画像を記憶メディアに保存することができ、また、留守録を行う場合の留守録録画件数（すなわち記録画像データ量）が少ない場合には、記録品質を落とすことなく高品質の画像データで留守録再生することができ、さらに、フレームとしては連続しているのでＭＰＥＧ符号処理を行うことができるという有利な効果が得られる。
【００２８】
請求項２に記載のテレビ電話装置によれば、受信した画像データを記憶メディアに記憶する画像記憶手段と、記憶メディアにおける記憶残量を計数する記憶残量検出手段と、記憶残量検出手段によって検出された未記憶部分のデータ量があらかじめ定められた設定値を下回っている場合には既に記憶されている画像データの色数を少なくして保存し直す画像再保存手段とを有することにより、記憶メディアの残量を検出し、その残量があらかじめ定められた値以下となったときにのみ色数を少なくし画像データ量を小さくして記憶メディアに保存し直すようにしているので、記憶メディアの残量が少なくなっても、既に記録されている画像を保持しつつ、現在受信している画像を記憶メディアに保存することができ、また、留守録を行う場合の留守録録画件数が少ない場合には、記録品質を落とすことなく高品質の画像データで留守録再生することができ、さらに、フレームとしては連続しているのでＭＰＥＧ符号処理を行うことができるという有利な効果が得られる。
【００２９】
請求項３に記載のテレビ電話装置によれば、受信した画像データを記憶メディアに記憶する画像記憶手段と、記憶メディアにおける記憶残量を計数する記憶残量検出手段と、記憶残量検出手段によって検出された未記憶部分のデータ量があらかじめ定められた設定値を下回っている場合には既に記憶されている画像データの画像サイズを小さくして保存し直す画像再保存手段とを有することにより、記憶メディアの残量を検出し、その残量があらかじめ定められた値以下となったときにのみ画像サイズを小さくし画像データ量を小さくして記憶メディアに保存し直すようにしているので、記憶メディアの残量が少なくなっても、既に記録されている画像を保持しつつ、現在受信している画像を記憶メディアに保存することができ、また、留守録を行う場合の留守録録画件数が少ない場合には、記録品質を落とすことなく高品質の画像データで留守録再生することができ、さらに、フレームとしては連続しているのでＭＰＥＧ符号処理を行うことができるという有利な効果が得られる。
【図面の簡単な説明】
【図１】本発明の実施の形態１によるテレビ電話装置を示す装置プロック図
【図２】図１のＣＰＵの機能を示す機能ブロック図
【符号の説明】
１  ＣＰＵ（中央処理装置）
２  ＬＣＤ
３  ＶＲＡＭ
４  フラッシュメモリ（記憶メディア）
５  ＲＡＭ
６  キー入力装置
７  マイク
８  スピーカ
９  リアルタイムクロック
１０  データ伝送装置
１１  カメラ
２１  イベント取得手段
２２  留守録開始指示手段
２３  画像記憶手段
２４  記憶残量検出手段
２５  画像再保存手段
２６  留守録再生手段
【図１】
2004282436.tif 000003
【図２】
2004282436.tif 000004